(57)【要約】【課題】この発明は、ポイントへ正確に、且つ、少ない労力でキャスティングできる釣り方法及び該釣り方法に用いるウキ飛翔時係止具が望まれていた課題を解決するものである。【解決手段】  竿１に取り付けられて先端側に少なくとも錘１３、仕掛け９、ウキストッパー７、ウキ６、ウキ止め７を具備する道糸３の前記ウキ６とウキ止め７の間にキャスティングによるウキ６の飛翔中は道糸３に係合されたまま道糸３と共に飛翔するが着水後には道糸との係合が解除される係止手段１５を介在させる魚釣り方法及び該魚釣り方法で使用する柔軟性のある湾曲した筒状パイプからなるウキ飛翔時係止具。【選択図】  図１
2015084713.tif 000002
【特許請求の範囲】
【請求項１】
竿に取り付けられて先端側に少なくとも錘、仕掛け、ウキストッパー、ウキ、ウキ止めを具備する道糸の前記ウキとウキ止めの間にキャスティングによるウキの飛翔中は道糸に係合されたまま道糸と共に飛翔するが着水後には道糸との係合が解除される係止手段を介在させる魚釣り方法。
【請求項２】
前記係止手段が柔軟性のある湾曲した筒状パイプからなるウキ飛翔時係止具であることを特徴とする請求項１記載の魚釣り方法。
【請求項３】
前記柔軟性のある湾曲した筒状パイプが合成樹脂であることにことを特徴とする請求項１又は２に記載の魚釣り方法。
【請求項４】
請求項１の魚釣り方法で使用する柔軟性のある湾曲した筒状パイプからなるウキ飛翔時係止具。
【請求項５】
前記柔軟性のある湾曲した筒状パイプが合成樹脂である請求項４に記載のウキ飛翔時係止具。
【発明の詳細な説明】
【技術分野】
【０００１】
この発明はポイントへ正確にキャスティングできる釣り方法及び該釣り方法に用いるウキ飛翔時係止具に関する。
【背景技術】
【０００２】
海釣りなどで遠投ウキ仕掛けを準備する場合には、図７に示すように、竿１にリール２を固定してから道糸３を引き出してガイド４を直して出た先端からシモリ玉５、ウキ６、ウキストッパー７の順に通し、道糸３の先端にスイベル８を取り付けて、このスイベル８に仕掛け９のスナップ１０をセットし、タナ取りの位置にウキ止め１１を固定して、釣り具１６´の準備をしている。
【０００３】
仕掛け９は狙う魚種によって異なるが、狙う魚種に応じた針１２を付けてその先に錘１３を付けたものを用いる。又、スイベル８にマキエカゴ１４がスナップ１０で取付けられている。そして準備が整うとポイント方向にキャスティングすると、錘１３の飛ぶ方向に引張られてリール２から道糸３が引き出されてポイントに仕掛け９が着水する。
【０００４】
この着水時においては、図８の左上方に示すように錘１３が最も遠方へ着水して、仕掛け９、ウキストッパ７、ウキ６、シモリ玉５、ウキ止め１１の順となるが、着水後は矢印イに示すようにウキ６の真下方向へ錘１３が沈んでゆき、ほぼウキ６着水地点の真下に仕掛け９が位置する。これは、キャスティングによりウキ６がシモリ玉５と共に道糸３を伝ってウキ止め１１に引掛かるまで移動してから着水するためである。
【先行技術文献】
【非特許文献】
【０００５】
【非特許文献１】かんたん海釣り入門  株式会社主婦の友社(著)
【発明の概要】
【発明が解決しようとする課題】
【０００６】
しかしながら、上記の従来技術によると、キャスティングによる道糸３の飛翔中にウキ６がシモリ玉５と共にウキ止め１１まで移動するので、ポイントへ錘１３の付いた仕掛け９を投げるつもりのキャスティングをしても、タナ取りの位置に合わせてウキ止め１１を固定していることからその分だけ手前に戻った位置に仕掛け９をしたことになる。従って、キャスティングはその分を見込んでより遠方に仕掛け９が飛ぶようにしなければならないので、キャスティングに要する労力が余分に必要となる問題点がある。又、タナが深い仕掛け９の場合にはこの傾向はより大きくなる問題点がある。
【課題を解決するための手段】
【０００７】
この発明は上記事情に鑑みてなされたものであって、キャスティングによる仕掛けの着水時はウキは仕掛けに隣接して着水するが、着水後はウキの位置はそのままで錘によって道糸がリールから引き出されて仕掛けがタナ取りの深さまで沈んでゆくことができるようにしたものであって、その手段とするところは、請求項１の発明においては、竿に取り付けられて先端側に少なくとも錘、仕掛け、ウキストッパー、ウキ、ウキ止めを具備する道糸の前記ウキとウキ止めの間にキャスティングによるウキの飛翔中は道糸に係合されたまま道糸と共に飛翔するが着水後には道糸との係合が解除される係止手段を介在させる魚釣り方法としたことにある。
【０００８】
請求項２の発明においては、前記係止手段が柔軟性のある湾曲した筒状パイプからなるウキ飛翔時係止具であることにある。
【０００９】
請求項３の発明においては、前記柔軟性のある湾曲した筒状パイプが合成樹脂であることにことにある。
【００１０】
請求項４の発明においては、前記請求項１の魚釣り方法で使用する柔軟性のある湾曲した筒状パイプからなるウキ飛翔時係止具であることにある。
【００１１】
請求項５の発明においては、前記請求項４の発明の前記柔軟性のある湾曲した筒状パイプが合成樹脂であることにある。
【発明の効果】
【００１２】
請求項１の発明によると、キャスティングにより道糸と共にウキは飛翔するが、飛翔中は係止手段によってウキ止め方向への移動は阻止されるので、ウキはウキ止めとの間隔を空けたままで着水し、その結果、仕掛けの近くにウキが着水する。しかし、着水後はウキはその着水位置でほぼ静止するが、錘と共に仕掛けが沈んで行くときに伸びる道糸は、ウキの道糸通し穴を通過して道糸通し穴にウキ止めが達するまでリールから送り出される。このリールから送り出される道糸の長さが、係止手段を設けた位置とウキ止めを設けた位置の長さであり、この分の長さに相当する距離つまりタナの深さ分の距離を従来の釣り方法と比較して多く距離を飛ばせることになる。これによって、少ない労力で遠方まで仕掛けを投げることができる。
【００１３】
請求項２の発明によると、係止手段が柔軟性のある湾曲した筒状パイプからなるウキ飛翔時係止具の筒状パイプの中に道糸が通っているので、キャスティングによって錘に引張られている張力を有する道糸の外周と柔軟性のある湾曲した筒状パイプの湾曲内面との摩擦抵抗が大となり、ウキにウキ止め方向への力が作用してもこの摩擦力によって柔軟性のある筒状パイプたるウキ飛翔時係止具がウキの移動を阻止することができる。道糸の先端からウキとウキ止めの間の位置に通しておくだけでよいので、安価でかつ手数も仕掛けをセットする時に同時にできるのでほとんどかからない。
【００１４】
請求項３の発明によると、柔軟性のある湾曲した筒状パイプは合成樹脂からなるのであるから、その表面は適度な摩擦抵抗を有しているので、好ましく利用できる。又、成型加工が容易で大量生産できる結果安価である。又、硬度や摩擦力を合成樹脂の種類を選択することにより適度に調節できる。
【００１５】
請求項４の発明は、請求項１の釣り方法において用いる湾曲した柔軟性のある筒状パイプからなるウキ飛翔時係止具の発明であるから、釣りを楽にできる道具として有効に利用できる。
【００１６】
請求項５の発明は、請求項４の発明の湾曲した柔軟性のある筒状パイプを合成樹脂としたので、成型加工が容易で大量生産でき安価となる利点がある。又、硬度や摩擦力を合成樹脂の種類を変えることにより適度に変更できる。
【図面の簡単な説明】
【００１７】
【図１】この発明の釣り方法に使用する釣り具の説明図。
【図２】道糸が投げ出されて飛翔中の説明図。
【図３】図２の一部拡大図。
【図４】道糸の先端側の着水時の説明図。
【図５】着水後の時間経過後説明図。
【図６】図５から更に時間経過後の説明図。
【図７】従来の釣り方法に使用する釣り具の説明図。
【図８】従来の釣り方法の釣り具を使用した着水時の説明図。
【発明を実施するための形態】
【００１８】
この発明の実施形態について、まず、図１を参照しつつ説明する。この発明の釣り方法は、先端側に少なくとも錘１３、仕掛け９、ウキストッパー７、ウキ６、ウキ止め１１を具備する道糸３の前記ウキ６とウキ止め１１の間にキャスティング後の飛翔時にはウキ６とウキ止め１１の間隔が狭まることを阻止するがウキ６が着水後にはこれを解除する係止手段１５を介在させる釣り方法である。
【００１９】
図１に示すこの発明の釣り方法に用いる釣り具１６が、図７に示す従来の釣り具１６′と異なるところは、ウキ６とウキ止め１１の間に係止手段としてのウキ飛翔時係止具１５を道糸３に設けたことである。その他の構成は図７の従来の釣り具１６′と同じであるので、同符号を用いて説明を省略する。。
【００２０】
ウキ飛翔時係止具１５は、図２に示すように、キャスティング後の道糸３の先端部分が錘１３の飛翔速力に引張られて飛翔している時には、図外の道糸通し穴に通されて道糸３に対しては移動自在なウキ６がこのウキ飛翔時係止具１５によってウキ止め１１方向へ移動することを阻止され、且つ、ウキ６の着水後は道糸３に固定しているウキ止め１１が、リール２から送り出される道糸３により水面に浮かぶウキ６に接近するのを許容できる係止具である。
【００２１】
このような係止手段であるウキ飛翔時係止具１５の具体的実施形態としては、図３に示す合成樹脂からなる柔軟性のある湾曲筒状パイプ１５があげられる。湾曲形状は半円形、三日月などの円弧形状、Ｓ字形状、くの字型状など種々の形状のものを含む。このように湾曲するのはパイプの内部を挿通する道糸３が飛翔中の錘１３で引張られて張力を生じた際に湾曲部分の内周面と道糸３の外周面との間に摩擦力を生じさせて、道糸３に係合させるためである。これによってウキ６が道糸３に導かれてウキ止め１１方向に移動するのをこのウキ飛翔時係止具１５によって阻止でき、ウキ６とウキ止め１１の間隔すなわちタナの深さの距離を空けた状態でウキ６を着水できる。このことはつまりそれだけ遠くへウキ６を飛ばせることが出来るのである。この場合において、ウキ６とウキ飛翔時係止具１５はあらかじめ金具や糸などを使って連結しておいてもよい。湾曲円筒パイプ１５の材質として好ましくは合成樹脂、更に好ましくはウレタン樹脂が挙げられる。又、その内径は道糸３が通過できる以上のものでウキ止め１１が通過出来ないものであれば特に限定されるものではない。パイプの肉厚は湾曲形状を維持できる程度であればよい。
【００２２】
着水後は、図４、図５に示すように錘１３によって仕掛け９が着水して水面に浮かぶウキ６の下方に沈んでゆく。この時の沈む速度は緩やかであるので飛翔時のように道糸３には大きな張力が生じていないから、錘１３の重さによってゆっくりとリール２から引き出された道糸３が柔軟性のある湾曲した筒状パイプ１５の中を移動して伸びてゆく。これは移動速度が緩やかなために道糸３の外周面と湾曲した筒状パイプ１５の湾曲部分の内面との摩擦力は極めて小さいからである。そして、錘１３が海底に達するまで道糸３の錘１３による通過を許容し、しかも、リール２はわずかな錘１３による引張力によっても回転して道糸３を竿先から送り出すので、ウキ６の位置は戻されることなく着水した位置を保持し得る。
【００２３】
このように、キャスティングが行われた時には、ウキ６は仕掛け９に接近した位置で道糸３に係止された最初のままの状態で着水し、この着水した位置の下方に仕掛け９が位置することになるために、ポイントを目がけてキャスティングしてもポイントの位置とのズレを最下限に抑えることが可能となる。すなわち、従来の釣り方法であると、ウキ６が飛翔中にウキ止め１１まで釣人の方向へ戻り移動するので、ウキ６が水面に着水した時は仕掛け９はポイントよりもタナの深さ距離分だけ手前に着水していることになり、その分を見越して遠くへ投げなければならなかったが、本発明の釣り方法においては、ポイント位置にキャスティングすれば仕掛け９の位置もほぼその同じ場所に達していることになるので、その分労力が少なく楽に釣りを楽しむことができる。
【００２４】
前記釣り方法の係止手段として、柔軟性のある湾曲した円筒状パイプのウキ飛翔時係止具１５の実施形態を挙げて説明したが、これに代えて、ウキ６とウキ止め１１間の道糸３に水溶性のウキ止めを固着するものであってもよい。例えば、水溶性の土粘土や紙粘土である。更には、ウキ６とウキ止め１１の間の道糸３を束ねて急冷凍したものや水溶性袋で包んだものなどがあるが、いずれにしてもキャスティングする毎に付け変える手数がかかると共に釣り場を汚す問題点がある。
【００２５】
尚、再キャスティングする時には、ウキ６、ウキ飛翔時係止具１５のそれぞれの位置を元に戻す必要がある。又、シモリ玉５は必要に応じて取付ければよい。
【産業上の利用可能性】
【００２６】
ウキを用いて投げ釣りする全ての釣りに応用できるので、利用用途は広く、又、ウキ飛翔時係止具の需要も大量に見込めるためこれの製造販売に従事する産業が栄えることが見込まれる。
【符号の説明】
【００２７】
１      竿
２      リール
３      道糸
６      ウキ
７      ウキストッパー
９      仕掛け
１３    錘
１５    係止手段（ウキ飛翔時係止具、湾曲筒状パイプ）
１６    釣り具
１６′  従来の釣り具
【図１】
2015084713.tif 000003
【図２】
2015084713.tif 000004
【図３】
2015084713.tif 000005
【図４】
2015084713.tif 000006
【図５】
2015084713.tif 000007
【図６】
2015084713.tif 000008
【図７】
2015084713.tif 000009
【図８】
2015084713.tif 000010